(57)【要約】【課題】再生信号から光ディスクのピットによって変調されたレーザ光のノイズを除去する光ディスク装置を提供する。【解決手段】半導体レーザ２からレーザ光を出射して光ディスクＤに照射し、この光ディスクＤからの戻り光を光検出器７で検出し、光電変換して再生信号を生成する一方、前記レーザ光を光検出器１０で検出し、光電変換して電気信号を生成し、ＡＰＣ制御回路１２で前記電気信号から前記レーザ光の出力を制御するＡＰＣ信号を生成し、前記ＡＰＣ信号に含まれる低域成分を除去して、高域成分のみを通過させて高域ＡＰＣ信号を生成するハイパスフィルタ１３と、前記高域ＡＰＣ信号と前記再生信号とを乗算して乗算信号を生成する乗算器１４と、前記再生信号と前記乗算信号との差を演算して雑音除去信号を生成する差動増幅回路１５と、を備える。【選択図】      図１
2006228366.tif 000002
【特許請求の範囲】
【請求項１】
光ディスクにレーザ光を照射する半導体レーザと、前記光ディスクからの戻り光を検出し、光電変換して再生信号を生成する第１の光検出器と、前記半導体レーザから出射される前記レーザ光を検出し、光電変換して電気信号を生成する第２の光検出器と、前記電気信号から前記レーザ光の出力を制御するＡＰＣ信号を生成するＡＰＣ制御回路とを備え、前記再生信号中に含まれる雑音を除去する光ディスク装置において、
前記ＡＰＣ信号に含まれる低域成分を除去して、高域成分のみを通過させて高域ＡＰＣ信号を生成するハイパスフィルタと、
前記高域ＡＰＣ信号と前記再生信号とを乗算して乗算信号を生成する乗算器と、
前記再生信号と前記乗算信号との差を演算して雑音除去信号を生成する差動増幅回路と、
を備えたことを特徴とする光ディスク装置。
【発明の詳細な説明】
【技術分野】
【０００１】
本発明は、レーザ光を光ディスクに照射し、反射された戻り光中のノイズのうち、光ディスクの表面で変調されたレーザ光に起因するノイズを抑制する光ディスク装置に関する。
【背景技術】
【０００２】
家庭用の録画機器としては、コンパクトであり、かつランダムアクセスが可能な光ディスク装置が普及している。
この光ディスク装置の光源としては、半導体レーザが用いられるが、この半導体レーザから出射されるレーザ光に含まれる雑音が再生信号に重畳することによって再生信号の質が低下するといった問題に対する対策が望まれていた。
特許文献１には、レーザ光に起因する雑音低減に関する光ディスク装置が記載されている。
【０００３】
即ち、レーザ光を出射する光源と、前記レーザ光の一部を透過し、その他を反射するハーフミラーと、前記ハーフミラーを透過したレーザ光を光ディスクに集光させる第１の対物レンズと、前記光ディスクで反射された戻り光を前記第１の対物レンズを介して前記ハーフミラーに入射させ、ここで反射された前記戻り光を第１のフォトディテクタに集光させる第２の対物レンズと、前記フォトディテクタで前記戻り光が光電変換された情報信号とレーザ光ノイズを含む出力電圧Ａを生成する第１の電流電圧変換系と、を有する。
【０００４】
更に、前記ハーフミラーで反射された他方のレーザ光を第２のフォトディテクタに集光させる第３の対物レンズと、前記第２のフォトディテクタで前記他方のレーザ光が光電変換されたレーザ光のノイズのみを含む出力電圧Ｂを生成する第２の電流電圧変換系と、前記出力電圧Ａ、Ｂの差を演算する差動アンプと、を備えたことにより、レーザ光のノイズを除去できることが記載されている。
【特許文献１】特開平５−４６９９０号公報
【発明の開示】
【発明が解決しようとする課題】
【０００５】
しかしながら、前記出力電圧Ａには、光ディスクに記録されているピットで変調された戻り光による雑音信号も含まれるため、前記差動アンプによって、出力電圧Ａ、Ｂの差を演算するだけでは、再生信号から雑音を除去することができない。
そこで、本発明は、前述の課題に鑑みて提案されるものであって、再生信号から光ディスクのピットによって変調されたレーザ光のノイズを除去する光ディスク装置を提供することを目的とする。
【課題を解決するための手段】
【０００６】
本願発明は、光ディスクにレーザ光を照射する半導体レーザと、前記光ディスクからの戻り光を検出し、光電変換して再生信号を生成する第１の光検出器と、前記半導体レーザから出射される前記レーザ光を検出し、光電変換して電気信号を生成する第２の光検出器と、前記電気信号から前記レーザ光の出力を制御するＡＰＣ信号を生成するＡＰＣ制御回路とを備え、前記再生信号中に含まれる雑音を除去する光ディスク装置において、前記ＡＰＣ信号に含まれる低域成分を除去して、高域成分のみを通過させて高域ＡＰＣ信号を生成するハイパスフィルタと、前記高域ＡＰＣ信号と前記再生信号とを乗算して乗算信号を生成する乗算器と、前記再生信号と前記乗算信号との差を演算して雑音除去信号を生成する差動増幅回路と、を備えたことを特徴とする光ディスク装置を提供する。
【発明の効果】
【０００７】
本発明によれば、前記ＡＰＣ信号に含まれる低域成分を除去して、高域成分のみを通過させて高域ＡＰＣ信号を生成するハイパスフィルタと、前記高域ＡＰＣ信号と前記再生信号とを乗算して乗算信号を生成する乗算器と、前記再生信号と前記乗算信号との差を演算して雑音除去信号を生成する差動増幅回路と、を備え前記ＡＰＣ信号に含まれる低域成分を除去して、高域成分のみを通過させて高域ＡＰＣ信号を生成するハイパスフィルタと、前記高域ＡＰＣ信号と前記再生信号とを乗算して乗算信号を生成する乗算器と、前記再生信号と前記乗算信号との差を演算して雑音除去信号を生成する差動増幅回路と、を備えているので、再生信号から光ディスクのピットによって変調されたレーザ光のノイズを除去することができる。
【発明を実施するための最良の形態】
【０００８】
以下、本発明に係る光ディスク装置の実施の形態について、図面を参照して詳細に説明する。
図１は、本発明に係る実施形態を示すブロック図である。
図２は、各回路での波形を示す図であり、（Ａ）は、増幅再生信号を示し、（Ｂ）は、高域ＡＰＣ信号を示し、（Ｃ）は、乗算信号を示し、（Ｄ）は、雑音除去信号を示す。
【０００９】
図１に示すように、本発明に係る光ディスク装置１は、所定波長のレーザ光を出射する半導体レーザ２と、前記所定のレーザ光を平行光にするコリメータレンズ３と、コリメータレンズ３から出射されるレーザ光の所定偏光成分を透過し、それ以外を一方の側に反射し、更に光ディスクＤからの戻り光を他方の側に反射するビームスプリッタ４と、ビームスプリッタ４を透過した所定偏光成分のレーザ光を光ディスクＤに集光する対物レンズ５と、からなる。
【００１０】
ビームスプリッタ４で他方の側に反射された光ディスクＤからの戻り光を集光するレンズ６と、レンズ６で集光されたレーザ光から再生信号に変換する光検出器７と、光検出器７で得られた再生信号を増幅して再生増幅信号を生成する増幅器８と、からなる。
【００１１】
一方、ビームスプリッタ４で一方の側に反射されたレーザ光を集光するレンズ９と、レンズ９で集光されたレーザ光を電気信号に変換する光検出器１０と、光検出器１０で得られた電気信号を増幅する増幅器１１と、増幅器１１で増幅された電気信号に基づいて、半導体レーザ２から出射されるレーザ光の出力を制御するＡＰＣ（Ａｕｔｏｍａｔｉｃ  Ｐｏｗｅｒ  Ｃｏｎｔｒｏｌ）信号を出力するＡＰＣ制御回路１２と、からなる。
【００１２】
更に、ＡＰＣ制御回路１２から出力されるＡＰＣ信号の低域成分を除去して、高域成分のみを通過させて高域ＡＰＣ信号を出力するハイパスフィルタ１３と、ハイパスフィルタ１３から出力される高域ＡＰＣ信号と増幅器８で増幅された再生信号とを乗算して乗算信号を生成する乗算器１４と、増幅器８で増幅された再生信号から乗算器１４で得られた乗算信号の差を演算して雑音除去信号を出力する差動増幅回路１５と、からなる。
【００１３】
次に、その動作について図２を併せ用いて説明する。
半導体レーザ２から所定波長のレーザ光を出射し、ビームスプリッタ４で所定偏光成分だけを透過し、対物レンズ５を介して光ディスクＤに照射する。光ディスクＤからの戻り光をビームスプリッタ４で反射してレンズ６を介して光検出器７に集光させる。
図２（Ａ）に示すように、光検出器７で光電変換された再生信号を増幅器８で増幅して増幅再生信号を生成する。
この際、再生信号中には、光ディスクＤのピット等の影響による雑音信号が重畳している。
【００１４】
一方、コリメータレンズ３で平行にされたレーザ光は、ビームスプリッタ４で反射してレンズ９を介して光検出器１０に集光する。光検出器１０で光電変換された電気信号を増幅器１１で増幅し、ＡＰＣ制御回路１２から半導体レーザ２から出射するレーザ光の出力を制御するＡＰＣ信号を出力する。
図２（Ｂ）に示すように、ハイパスフィルタ１３でＡＰＣ信号の高域成分のみを通過させて高域ＡＰＣ信号を出力する。
【００１５】
図２（Ｃ）に示すように、乗算器１４で増幅再生信号と高域ＡＰＣ信号を乗算して乗算信号を得る。
図２（Ｄ）に示すように、差動増幅回路１５で増幅再生信号から乗算信号を減算して、再生信号中に含まれる光ディスクＤで反射された際に生じたピット等による雑音が低減された雑音除去信号を得る。
【００１６】
以上のように、本発明の実施の形態によれば、ＡＰＣ信号に含まれる低域成分を除去して、高域成分のみを通過させて高域ＡＰＣ信号を生成するハイパスフィルタ１３と、前記高域ＡＰＣ信号と前記増幅再生信号とを乗算して乗算信号を生成する乗算器１４と、前記増幅再生信号と前記乗算信号との差を演算して雑音除去信号を生成する差動増幅回路１５と、を備えているので、再生信号から光ディスクのピットによって変調されたレーザ光のノイズを除去することができる。
【図面の簡単な説明】
【００１７】
【図１】本発明に係る実施形態を示すブロック図である。
【図２】各回路での波形を示す図であり、（Ａ）は、再生増幅信号を示し、（Ｂ）は、ＡＰＣ高域信号を示し、（Ｃ）は、乗算信号を示し、（Ｄ）は、雑音除去信号を示す。
【符号の説明】
【００１８】
１…光ディスク装置、２…半導体レーザ、３…コリメータレンズ、４…ビームスプリッタ、５…対物レンズ、６、９…レンズ、７、１０…光検出器、８、１１…増幅器、１２…ＡＰＣ制御回路、１３…ハイパスフィルタ、１４…乗算器、１５…差動増幅回路、Ｄ…光ディスク
【図１】
2006228366.tif 000003
【図２】
2006228366.tif 000004